(57)【要約】【課題】上位の管理装置で物品の盗難を監視可能にする。【解決手段】物品（Ｇ）に取り付けられる無線タグ（１０）は、物品（Ｇ）から離れたことを検知する離脱検知スイッチを有し、物品（Ｇ）から離れたことを検知すると離脱情報を含む電波を送信する。管理装置（４０）は、離脱情報を含む電波を受信すると、管理者（Ｍ）に警報を報知する。【効果】物品（Ｇ）から無線タグ（１０）が離脱されたことを管理装置４０で知ることが出来るので、管理装置４０で物品（Ｇ）の盗難を監視することが出来る。【選択図】図６
2009301482.tif 000002
【特許請求の範囲】
【請求項１】
物品（Ｇ）に取り付けられる無線タグ（１０）であって、物品（Ｇ）から離れたことを検知する離脱検知手段（１７）と、前記離脱検知手段（１７）で離脱を検知すると離脱情報を含む電波を送信する電波送信手段（１３，１４）とを具備したことを特徴とする無線タグ（１０）。
【請求項２】
請求項１に記載の無線タグ（１０）と、物品監視エリア（Ａ）に設置された物品監視エリア用アンテナ（２０）と、前記物品監視エリア用アンテナ（２０）で前記無線タグ（１０）からの電波を受信する物品監視エリア用レシーバ手段（３０）と、前記物品監視エリア用レシーバ手段（３０）で受信した電波を基に物品（Ｇ）から無線タグ（１０）が離脱したことを検知する無線タグ離脱管理手段（４０）とを具備したことを特徴とする無線タグ・システム（１００）。
【請求項３】
請求項２に記載の無線タグ・システム（１００）において、前記物品監視エリア（Ａ）から物品（Ｇ）が出うる通路（Ｐ）に設置された通路用アンテナ（２１）と、前記通路用アンテナ（２１）で前記物品（Ｇ）に取り付けられる無線タグ（１０）からの電波を受信する通路用レシーバ手段（３１）と、前記通路用レシーバ手段（３１）で受信した電波を基に前記物品監視エリア（Ａ）からの物品（Ｇ）の搬出を検知する物品搬出管理手段（４０）とを具備し、前記無線タグ（１０）の電波送信手段（１３，１４）は識別情報を含む電波を送信することを特徴とする無線タグ・システム（１００）。
【請求項４】
請求項２に記載の無線タグ・システム（１００）において、前記物品監視エリア（Ａ）に出入りする利用者（Ｕ）が所持する無線タグ（１１）であって且つ識別情報を含む電波を送信する無線タグ（１１）と、前記物品監視エリア（Ａ）から利用者（Ｕ）が出うる通路（Ｐ）に設置された通路用アンテナ（２１）と、前記通路用アンテナ（２１）で前記物品（Ｇ）に取り付けられる無線タグ（１０）からの電波および前記利用者（Ｕ）が所持する無線タグ（１１）からの電波を受信する通路用レシーバ手段（３１）と、前記通路用レシーバ手段（３１）で受信した電波を基に前記物品監視エリア（Ａ）から搬出された物品（Ｇ）および搬出した利用者（Ｕ）を検知する物品搬出管理手段（４０）とを具備し、前記無線タグ（１０）の電波送信手段（１３，１４）は識別情報を含む電波を送信することを特徴とする無線タグ・システム（１００）。
【請求項５】
請求項２に記載の無線タグ・システム（１００）において、前記物品（Ｇ）を利用する利用者（Ｕ）が所持する無線タグ（１１）であって且つ識別情報を含む電波を送信する無線タグ（１１）と、前記利用者（Ｕ）に利用される前記物品（Ｇ）の所在を管理する所在管理エリア（Ｂ２〜Ｂ６）に設置された所在管理エリア用アンテナ（２２〜２６）と、前記所在管理エリア用アンテナ（２２〜２６）で前記物品（Ｇ）に取り付けられる無線タグ（１０）からの電波および前記利用者（Ｕ）が所持する無線タグ（１１）からの電波を受信する所在管理エリア用レシーバ手段（３２〜３６）と、前記所在管理エリア用レシーバ手段（３２〜３６）で受信した電波を基に前記所在管理エリア（Ｂ２〜Ｂ６）に存在する物品（Ｇ）および該物品（Ｇ）の近傍に存在する利用者（Ｕ）を検知する物品利用者管理手段（４０）とを具備し、前記無線タグ（１０）の電波送信手段（１３，１４）は識別情報を含む電波を送信することを特徴とする無線タグ・システム（１００）。
【発明の詳細な説明】
【技術分野】
【０００１】
本発明は、無線タグおよび無線タグ・システムに関し、さらに詳しくは、上位の管理装置で物品の盗難を監視することが出来る無線タグおよび無線タグ・システムに関する。
【背景技術】
【０００２】
従来、物品に取り付けられる無線タグであって、物品から離れたことを検知する離脱検知手段と、離脱検知手段で離脱を検知すると自身が警報を発したり自身の識別情報を無効にする無線タグが知られている（例えば、特許文献１参照。）。
【特許文献１】特開２００１−１０１３７８号公報
【発明の開示】
【発明が解決しようとする課題】
【０００３】
上記従来の無線タグは、無線タグの盗用を防止するための機能を無線タグ自身が備えたものであった。
しかし、上位の管理装置で物品の盗難を監視することが出来ない問題点があった。
そこで、本発明の目的は、上位の管理装置で物品の盗難を監視することが出来る無線タグおよび無線タグ・システムを提供することにある。
【課題を解決するための手段】
【０００４】
第１の観点では、本発明は、物品（Ｇ）に取り付けられる無線タグ（１０）であって、物品（Ｇ）から離れたことを検知する離脱検知手段（１７）と、前記離脱検知手段（１７）で離脱を検知すると離脱情報を含む電波を送信する電波送信手段（１３，１４）とを具備したことを特徴とする無線タグ（１０）を提供する。
上記第１の観点による無線タグでは、物品から離脱されたことを検知すると離脱情報を含む電波を送信するので、この電波を受信することにより上位の管理装置で物品の盗難を監視することが出来る。
【０００５】
第２の観点では、本発明は、前記第１の観点による無線タグ（１０）と、物品監視エリア（Ａ）に設置された物品監視エリア用アンテナ（２０）と、前記物品監視エリア用アンテナ（２０）で前記無線タグ（１０）からの電波を受信する物品監視エリア用レシーバ手段（３０）と、前記物品監視エリア用レシーバ手段（３０）で受信した電波を基に物品（Ｇ）から無線タグ（１０）が離脱したことを検知する無線タグ離脱管理手段（４０）とを具備したことを特徴とする無線タグ・システム（１００）を提供する。
上記第２の観点による無線タグ・システムでは、無線タグが物品から離脱されたことを検知すると離脱情報を含む電波を送信するので、この電波を受信することにより上位の無線タグ離脱管理手段で物品の盗難を監視することが出来る。
【０００６】
第３の観点では、本発明は、前記第２の観点による無線タグ・システム（１００）において、前記物品監視エリア（Ａ）から物品（Ｇ）が出うる通路（Ｐ）に設置された通路用アンテナ（２１）と、前記通路用アンテナ（２１）で前記物品（Ｇ）に取り付けられる無線タグ（１０）からの電波を受信する通路用レシーバ手段（３１）と、前記通路用レシーバ手段（３１）で受信した電波を基に前記物品監視エリア（Ａ）からの物品（Ｇ）の搬出を検知する物品搬出管理手段（４０）とを具備し、前記無線タグ（１０）の電波送信手段（１３，１４）は識別情報を含む電波を送信することを特徴とする無線タグ・システム（１００）を提供する。
上記第３の観点による無線タグ・システムでは、物品に付された無線タグからの電波を物品監視エリアから物品が搬出される通路で受信することにより、上位の物品搬出管理手段で物品の正当な搬出および盗難による搬出を監視することが出来る。
【０００７】
第４の観点では、本発明は、前記第２の観点による無線タグ・システム（１００）において、前記物品監視エリア（Ａ）に出入りする利用者（Ｕ）が所持する無線タグ（１１）であって且つ識別情報を含む電波を送信する無線タグ（１１）と、前記物品監視エリア（Ａ）から利用者（Ｕ）が出うる通路（Ｐ）に設置された通路用アンテナ（２１）と、前記通路用アンテナ（２１）で前記物品（Ｇ）に取り付けられる無線タグ（１０）からの電波および前記利用者（Ｕ）が所持する無線タグ（１１）からの電波を受信する通路用レシーバ手段（３１）と、前記通路用レシーバ手段（３１）で受信した電波を基に前記物品監視エリア（Ａ）から搬出された物品（Ｇ）および搬出した利用者（Ｕ）を検知する物品搬出管理手段（４０）とを具備し、前記無線タグ（１０）の電波送信手段（１３，１４）は識別情報を含む電波を送信することを特徴とする無線タグ・システム（１００）を提供する。
上記第４の観点による無線タグ・システムでは、物品に付された無線タグからの電波および利用者が所持する無線タグからの電波を物品監視エリアから利用者が出る通路で受信することにより、上位の物品搬出管理手段で物品の正当な搬出および盗難による搬出および搬出した利用者を監視することが出来る。
【０００８】
第５の観点では、本発明は、前記第２の観点による無線タグ・システム（１００）において、前記物品（Ｇ）を利用する利用者（Ｕ）が所持する無線タグ（１１）であって且つ識別情報を含む電波を送信する無線タグ（１１）と、前記利用者（Ｕ）に利用される前記物品（Ｇ）の所在を管理する所在管理エリア（Ｂ２〜Ｂ６）に設置された所在管理エリア用アンテナ（２２〜２６）と、前記所在管理エリア用アンテナ（２２〜２６）で前記物品（Ｇ）に取り付けられる無線タグ（１０）からの電波および前記利用者（Ｕ）が所持する無線タグ（１１）からの電波を受信する所在管理エリア用レシーバ手段（３２〜３６）と、前記所在管理エリア用レシーバ手段（３２〜３６）で受信した電波を基に前記所在管理エリア（Ｂ２〜Ｂ６）に存在する物品（Ｇ）および該物品（Ｇ）の近傍に存在する利用者（Ｕ）を検知する物品利用者管理手段（４０）とを具備し、前記無線タグ（１０）の電波送信手段（１３，１４）は識別情報を含む電波を送信することを特徴とする無線タグ・システム（１００）を提供する。
上記第５の観点による無線タグ・システムでは、物品に付された無線タグからの電波および利用者が所持する無線タグからの電波を所在監視エリアで受信することにより、上位の物品利用者管理手段で物品の所在および利用していると推定される利用者を対応付けて監視することが出来る。
【発明の効果】
【０００９】
本発明の無線タグおよび無線タグ・システムによれば、上位の管理装置で物品の盗難を監視することが出来る。
【発明を実施するための最良の形態】
【００１０】
以下、図に示す実施の形態により本発明をさらに詳細に説明する。なお、これにより本発明が限定されるものではない。
【実施例１】
【００１１】
図１は、実施例１に係る無線タグ１０を示す斜視図である。
この無線タグ１０は、その底面が例えば両面テープによって例えばノートパソコンのような物品Ｇの表面に貼付されている。また、無線タグ１０の上面には例えばＬＥＤやブザーのような報知器１５が設置されている。
【００１２】
図２は、無線タグ１０の底面を示す斜視図である。
無線タグ１０が物品Ｇから剥がされると、無線タグ１０の底面から離脱検知スイッチ１７の可動ピンが突き出して、離脱検知スイッチ１７はオンになる。無線タグ１０の底面が物品Ｇの表面に貼付されていると、離脱検知スイッチ１７の可動ピンが押し込まれて、離脱検知スイッチ１７はオフになる。
【００１３】
図３は、無線タグ１０の構成ブロック図である。
無線タグ１０は、無線タグ１０毎の識別情報やプログラムなどを記憶するメモリ１２と、全体を制御するマイコン１３と、電波を送信するための送信部１４と、報知動作を行うための報知器１５と、無線タグ１０の電源となる電池１６と、離脱検知スイッチ１７とを含んでいる。
【００１４】
図４は、無線タグ１０から電波が送信されるタイミングを示すタイミング図である。
離脱検知スイッチ１７がオフの間は、白いバーで示すように間隔Ｔａ（例えば２秒間隔）で識別情報を含む電波が繰り返し送信される。
離脱検知スイッチ１７がオンになると、斜線のバーで示すように間隔Ｔｂ（例えば０．５秒間隔）で識別情報および離脱情報を含む電波が所定回数送信され、その後は間隔Ｔｃ（例えば１秒間隔）で識別情報および離脱情報を含む電波が繰り返し送信される。
【００１５】
図５は、無線タグ１０の動作を示すフロー図である。
ステップＳ１では、マイコン１３は、離脱検知スイッチ１７のオン／オフをチェックし、オフならステップＳ２へ進み、オンならステップＳ６へ進む。
【００１６】
ステップＳ２では、マイコン１３は、識別情報を含む電波を送信し、ステップＳ３へ進む。
【００１７】
ステップＳ３では、マイコン１３は、前回の送信から間隔Ｔａが経過していないならステップＳ４へ進み、経過したならステップＳ５へ進む。
【００１８】
ステップＳ４では、マイコン１３は、離脱検知スイッチ１７のオン／オフをチェックし、オフならステップＳ３に戻り、オンならステップＳ６へ進む。
【００１９】
ステップＳ５では、マイコン１３は、識別情報を含む電波を送信し、ステップＳ３に戻る。
【００２０】
ステップＳ６では、マイコン１３は、回数カウンタｎ＝０に初期化し、ステップＳ７へ進む。
【００２１】
ステップＳ７では、マイコン１３は、識別情報及び離脱情報を含む電波を送信する。また、報知器１５で光や音による警報を報知する。
ステップＳ８では、マイコン１３は、回数カウンタｎを１だけインクリメントし、ステップＳ９へ進む。
【００２２】
ステップＳ９では、マイコン１３は、前回の送信から間隔Ｔｂが経過していないならステップＳ１０へ進み、経過したならステップＳ７に戻る。
ステップＳ１０では、マイコン１３は、回数カウンタｎが所定回数Ｎ（例えば１０回）に到達してないならステップＳ９に戻り、到達していたらステップＳ１１へ進む。
【００２３】
ステップＳ１１では、マイコン１３は、前回の送信から間隔Ｔｃが経過するまで待ち、ステップＳ１２へ進む。
【００２４】
ステップＳ１２では、マイコン１３は、識別情報及び離脱情報を含む電波を送信し、ステップＳ１１に戻る。
【００２５】
図６は、実施例１に係る無線タグ・システム１００を示す構成説明図である。
この無線タグ・システム１００は、多数の物品Ｇにそれぞれ貼付される電池駆動の無線タグ１０と（なお、図６では一つの物品Ｇしか図示していない）、物品監視エリアＡに設置された物品監視エリア用アンテナ２０と、物品監視エリア用アンテナ２０で無線タグ１０からの電波を受信する物品監視エリア用レシーバ３０と、物品監視エリア用レシーバ３０で受信した電波を基に物品Ｇから無線タグ１０が離脱したことを検知する管理装置４０とを具備している。
【００２６】
また、無線タグ・システム１００は、物品監視エリアＡに出入りする利用者Ｕが所持する無線タグであって且つ識別情報を含む電波を送信する無線タグ１１と、物品監視エリアＡに対して物品Ｇおよび利用者Ｕが出入りしうる通路Ｐに設置された通路用アンテナ２１と、通路用アンテナ２１で無線タグ１０からの電波および無線タグ１１からの電波を受信する通路用レシーバ３１とを具備し、管理装置４０は、通路用レシーバ３１で受信した電波を基に物品監視エリアＡに対する物品Ｇおよび利用者Ｕの入出を検知する機能を有している。
【００２７】
また、無線タグ・システム１００は、利用者Ｕに利用される物品Ｇの所在を管理する所在管理エリアＢ２〜Ｂ６に設置された所在管理エリア用アンテナ２２〜２６と、所在管理エリア用アンテナ２２〜２６で無線タグ１０からの電波および無線タグ１１からの電波を受信する所在管理エリア用レシーバ３２〜３６とを具備し、管理装置４０は、所在管理エリア用レシーバ３２〜３６で受信した電波を基に所在管理エリアＢ２〜Ｂ６に存在する物品Ｇおよび該物品Ｇの近傍に存在する利用者Ｕを検知する機能を有している。
【００２８】
図７は、無線タグ１１の構成ブロック図である。
無線タグ１１は、無線タグ１１毎の識別情報やプログラムなどを記憶するメモリ１２と、全体を制御するマイコン１３と、電波を送信するための送信部１４と、無線タグ１１の電源となる電池１６とを含んでいる。
【００２９】
図８は、無線タグ１１の動作を示すフロー図である。
ステップＳ２１では、マイコン１３は、識別情報を含む電波を送信し、ステップＳ２２へ進む。
【００３０】
ステップＳ２２では、マイコン１３は、前回の送信から間隔Ｔａが経過するまで待ち、経過したならステップＳ２１に戻る。
【００３１】
図９は、管理装置４０の動作を示すフロー図である。
ステップＲ１では、物品管理エリアＡに在るべき物品Ｇの識別情報リストおよび物品Ｇの持出しを許可された利用者Ｕの識別情報リストを読み込む。これらの識別情報リストは、図示せぬインタフェースを介して外部からメモリ１２に書き込まれる。
【００３２】
ステップＲ２では、物品管理エリアＡで受信した電波に含まれる物品Ｇの識別情報を物品管理エリアＡに在るべき物品Ｇの識別情報リストに照合し、過不足があるか否かチェックし、過不足がなければステップＲ３へ進み、過不足があれば図示せぬ警報処理へ進む。そして、警報処理では、リストに無い物品Ｇが在る又はリストに有る物品Ｇが無い旨の警報を管理者Ｍに報知する。
【００３３】
ステップＲ３では、物品管理エリアＡで受信した電波に離脱情報が含まれるかチェックし、含まれなければステップＲ４へ進み、含まれていれば図示せぬ警報処理へ進む。そして、警報処理では、物品Ｇから無線タグ１０が離脱された旨の警報を管理者Ｍに報知する。
【００３４】
ステップＲ４では、通路Ｐで受信した電波に物品Ｇの識別情報が含まれるかチェックし、含まれなければステップＲ１に戻り、含まれていればステップＲ５へ進む。
【００３５】
ステップＲ５では、通路Ｐで受信した電波に含まれる物品Ｇの識別情報を物品管理エリアＡに在るべき物品Ｇの識別情報リストに照合し、識別情報リストに有ればステップＲ６へ進み、無ければステップＲ９へ進む。
【００３６】
ステップＲ６では、物品Ｇの持出しを許可された利用者Ｕの識別情報リストに有る利用者Ｕの識別情報が通路Ｐで受信した電波に含まれるかチェックし、含まれていればステップＲ７へ進み、含まれていなければ図示せぬ警報処理へ進む。そして、警報処理では、無許可で物品Ｇが搬出されている旨の警報を管理者Ｍに報知する。
【００３７】
ステップＲ７では、通路Ｐで受信した電波に含まれる物品Ｇの識別情報と利用者Ｕの識別情報を対応付けて記録する。そして、ステップＲ８へ進む。
【００３８】
ステップＲ８では、通路Ｐで受信した電波に含まれる物品Ｇの識別情報を物品管理エリアＡに在るべき物品Ｇの識別情報リストから削除する。そして、ステップＲ１０へ進む。
【００３９】
ステップＲ９では、通路Ｐで受信した電波に含まれる物品Ｇの識別情報を物品管理エリアＡに在るべき物品Ｇの識別情報リストに追加する。そして、ステップＲ１０へ進む。
【００４０】
ステップＲ１０では、所在管理エリアＢ２で受信した電波に含まれる物品Ｇの識別情報と利用者Ｕの識別情報とを対応付けて記録する。これを所在管理エリアＢ３〜Ｂ６についても繰り返す。そして、ステップＲ１に戻る。
【００４１】
実施例１の無線タグ１０および無線タグ・システム１００によれば次の効果が得られる。
（１）物品Ｇから無線タグ１０が離脱されたことを検知すると、離脱情報を含む電波を送信するので、この電波を物品管理エリアＡで受信することにより、管理装置４０で物品の盗難を監視することが出来る。
（２）無線タグ１０，１１からの電波を通路Ｐで受信することにより、管理装置４０で物品Ｇの正当な搬出および盗難による搬出および搬出した利用者Ｕを監視することが出来る。
（３）無線タグ１０，１１からの電波を所在監視エリアＢ２〜Ｂ６で受信することにより、管理装置４０で物品Ｇの所在および利用していると推定される利用者Ｕを対応付けて監視することが出来る。
【産業上の利用可能性】
【００４２】
本発明の無線タグおよび無線タグ・システムは、物品の盗難を防止するための管理に利用できる。
【図面の簡単な説明】
【００４３】
【図１】実施例１に係る物品用の無線タグを示す斜視図である。
【図２】実施例１に係る物品用の無線タグの底面を示す斜視図である。
【図３】実施例１に係る物品用の無線タグの構成を示すブロック図である。
【図４】実施例１に係る物品用の無線タグから送信される電波のタイミング図である。
【図５】実施例１に係る物品用の無線タグの動作を示すフロー図である。
【図６】実施例１に係る無線タグ・システムを示す構成説明図である。
【図７】実施例１に係る利用者用の無線タグの構成を示すブロック図である。
【図８】実施例１に係る利用者用の無線タグの動作を示すフロー図である。
【図９】実施例１に係る管理装置の動作を示すフロー図である。
【符号の説明】
【００４４】
１０            無線タグ
１２            メモリ
１３            マイコン
１４            送信部
１５            報知部
１６            電池
１７            離脱検知スイッチ
２０〜２６      アンテナ
３０〜３６      レシーバ
４０            管理装置
１００          無線タグ・システム
Ａ              物品管理エリア
Ｂ２〜Ｂ６      所在管理エリア
Ｍ              管理者
Ｐ              通路
Ｕ              利用者
【図１】
2009301482.tif 000003
【図２】
2009301482.tif 000004
【図３】
2009301482.tif 000005
【図４】
2009301482.tif 000006
【図５】
2009301482.tif 000007
【図６】
2009301482.tif 000008
【図７】
2009301482.tif 000009
【図８】
2009301482.tif 000010
【図９】
2009301482.tif 000011